(57)【要約】      （修正有）【課題】骨盤の傾斜角度を、就寝中に８度〜１５度の傾斜角度に維持することにより腰椎の湾曲（前湾）を少なくして、脊椎の配列を改善し、椎間板にかかる圧力を軽減させ、慢性の腰痛を予防する。【解決手段】８度〜１５度の傾斜面を備えた断面直角三角形状をした腰枕２と、該腰枕を人体の骨盤部を含めた下腹部周面に巻回装着する取付ベルト３とにより構成され、前記腰枕２は、比較的硬質で、且つ弾力性のある素材を用いて形成された基盤の上面に柔軟性シートを固定して形成され、前記取付ベルト３は、伸縮性および締付け作用を有する帯状の基布で形成され、更に前記腰枕２の取付ベルト３への取付位置を調整可能とする。【選択図】図４
2010125070.tif 000002
【特許請求の範囲】
【請求項１】
８度〜１５度の傾斜角度にした傾斜面を上面に備えた断面直角三角形状をした腰枕と、該腰枕を人体の骨盤部に巻回装着する取付ベルトとにより構成された腰痛緩和腰枕装置であって、前記腰枕は、比較的硬質で、且つ弾力性のある素材を用いて基盤を形成すると共に、少なくとも前記基盤の上面に柔軟性シートを固定して形成され、前記取付ベルトは、仙腸関節を両側から挟持して締付けて固定できるよう、伸縮性および締付け作用を有する帯状の基布で形成される一方、前記腰枕の取付ベルトへの取付位置を調整可能とし、更に前記取付ベルトを骨盤部を含めた下腹部全周に亘って巻回装着できるようにしたことを特徴とする腰痛緩和腰枕装置。
【発明の詳細な説明】
【技術分野】
【０００１】
本発明は、就寝中に骨盤部を載せて使用するものであって、腰のトラブルによる疼痛を緩和すると共に、脊椎の配列を改善して、慢性の腰痛を緩和することができるようにした腰痛緩和腰枕装置に関するものである。
【背景技術】
【０００２】
安静に寝るべき夜に、腰痛による疼痛や激痛で眠ることができず苦しんでいる人は多い。前記疼痛の代表的なものは、所謂、ギックリ腰（椎間板ヘルニア等）による神経圧迫症状としての痛み（急性腰痛と坐骨神経痛）である。これらの痛みは、脊椎の土台である仙骨と腸骨との間の関節（仙腸関節）で発生していることが多い。この仙腸関節に痛みが発生する原因は、寝ている間の姿勢が影響しているものと思われる。現在、日本人の多くは洋式のスタイルで、クッション性のあるベッドで睡眠をとることが多いが、このときに仙腸関節が微妙に変化し、関節を包む関節包や靭帯の緊張が緩み、関節内の炎症物質が停滞し、翌日以降に痛みが発生するものと考えられる。
【０００３】
前記痛みの対処法としては、先ず医学的治療がなされるが、クオリティライフの視点から、治療と併行して日常の立ち居振る舞い時、就寝時の保存療法的な補助用具として、これまでは各種コルセットや腰痛ベルト等があるが、満足できるものがないのが現状である。
【０００４】
そこで、本発明者は、前記就寝時における腰痛を緩和する方法として、頚椎に枕を調整して当てる場合があるように、腰椎に関しても、仙腸関節の緩みを整える作用のある補助具としての枕で調整すれば、前記疼痛は緩和されるのではないかと考えた。
【０００５】
前記観点から本発明者は、就寝時における腰痛を緩和することを目的とする先行特許文献を遡及検索したところ、下記２件の特許文献を発見した。
【０００６】
【特許文献１】特開２０００−１５７３７１号公報
【特許文献２】特開２００３−３８５３８号公報
【発明の開示】
【発明が解決しようとする課題】
【０００７】
前記特許文献１記載の発明は、円柱状の袋１中に、そば殼２を入れ、最初に円柱状枕を２本つなげて使用し、臀部と背中が床面に馴染むまで使用し続け、その後、前記２本の円柱状の枕に円柱状の袋１を１個ずつ追加して、３本〜５本の円柱状の枕をつなげた形として使用する腰痛緩和腰当て枕に関するものである。
【０００８】
しかしながら、前記特許文献１の発明は、睡眠時に使用することにより、腰の痛みが緩和されるとしているが、人体の骨盤の傾斜角度を全く考慮していないものであるため、その効果はほとんど期待することができないと共に、寝返り等により腰部からずれてしまい、その目的を充分に達成することができないという課題があった。
【０００９】
また、前記特許文献２記載の発明は、空気量を利用した下肢高さの調節ができる腰痛緩和の足枕に関するものであって、図において、傾斜面が形成されていて、人体の骨盤の傾斜角度を考慮しているかにみえるが、空気袋で形成されているため、人体の体重がかかると沈んでしまい、前記骨盤の傾斜角度を維持することができず、その効果はほとんど期待することができないと共に、寝返り等により腰部からずれてしまい、その目的を充分に達成することができないという課題があった。
【００１０】
本発明は、前記課題を解決すべくなされたものであって、人体の骨盤の傾斜角度を、就寝中に８度〜１５度の理想的な傾斜角度に維持して、腰椎の湾曲（前湾）を少なくすることによって、坐骨神経痛等、神経の圧迫を取り、痛みと、しびれを寝ている間に軽減させて、椎間板にかかる圧力を軽減させる腰痛緩和腰枕装置であって、この原理は、腰椎の配列（アライメント）を改善し、腰椎、椎間板にかかる圧力を軽減するもので、腰痛を緩和することを目的とした装置である。
【課題を解決するための手段】
【００１１】
本発明は、８度〜１５度の傾斜角度にした傾斜面を上面に備えた断面直角三角形状をした腰枕と、該腰枕を人体の骨盤部に巻回装着する取付ベルトとにより構成された腰痛緩和腰枕装置であって、前記腰枕は、比較的硬質で、且つ弾力性のある素材を用いて基盤を形成すると共に、少なくとも前記基盤の上面に柔軟性シートを固定して形成され、前記取付ベルトは、仙腸関節を両側から挟持して締付けて固定できるよう、伸縮性および締付け作用を有する帯状の基布で形成される一方、前記腰枕の取付ベルトへの取付位置を調整可能とし、更に前記取付ベルトを骨盤部を含めた下腹部全周に亘って巻回装着するという手段を採用することにより、上記課題を解決した。
【発明の効果】
【００１２】
上記構成より成る本発明によれば、取付ベルトに固定された腰枕により、人体の骨盤の傾斜角度を、就寝中に８度〜１５度の理想的な傾斜角度に維持することができ、これにより腰椎の湾曲（前湾）を少なくすることによって、坐骨神経痛等、神経の圧迫をとり、痛みとしびれを寝ている間に軽減させて、椎間板にかかる圧力を軽減させる。この原理は、腰椎の配列（アライメント）を改善し、腰椎、椎間板にかかる圧力を軽減するもので、腰痛を緩和することができる。
【実施例】
【００１３】
本発明は、腰のトラブルによる疼痛を寝ている間に軽減させること、すなわち、（１）脊椎の配列（アライメント）を整えることで、慢性の腰痛を緩和し、（２）椎間板にかかる圧迫を減少し、（３）立ち姿勢で常に働いている腸腰筋（大腸筋・小腸筋・腸骨筋）を緩め、副交感神経優位のリラックス効果を得て、安眠に導くことを目的とした腰痛緩和腰枕装置である。
【００１４】
一般に、ギックリ腰（急性腰痛症）は、腰椎と骨盤との急なトラブルから起こることが多く、最近の洋式スタイルの柔らかなベッドでの仰臥睡眠時に、腰椎の湾曲（前湾）が大きくなり、神経を圧迫して痛みの発生につながるのである。
【００１５】
そして、腰椎間板の内圧と姿勢との関係をみると、仰臥寝は、横臥寝、立位、立って前傾、座る、座って前傾等の他の姿勢に比べれば、内圧が低い。そこで、本発明者は、痛みを持っている者にとり、更に前記腰椎間板の内圧を下げること、すなわち足を延ばして、仰臥状態から膝を立てるのと同じ状態を作ることが、腰椎の湾曲（前湾）をなくし、痛みの発生の抑制につながることになると確信した。具体的には、就寝中に、骨盤の傾斜角を、膝を立てた状態と同じ８度〜１５度に維持することができれば、腰椎の生理的湾曲が確保でき、痛みの緩和につながることになるとの結論に達した。
【００１６】
本発明は前記観点より発明をなしたもので、以下図面に基づいて本発明を詳細に説明する。
【００１７】
本発明腰痛緩和腰枕装置は、人が仰臥した場合、骨盤の傾斜角を理想的な８度〜１５度に維持するため、８度〜１５度、好ましくは、８〜１２度の傾斜角度にした傾斜面１を上面に備えた断面直角三角形状をした腰枕２と、該腰枕２を人体の骨盤部に、ずれたりすることなく巻回装着できるようにする取付ベルト３とにより構成されている。
【００１８】
なお、前記８度〜１５度の傾斜角度は、骨盤の傾斜角度が使用者の身長や症状によってそれぞれ個人差があるため、後述する面ファスナーによって、前記腰枕２の取付ベルト３への取付位置を調整して、いずれの使用者にも８度〜１５度の傾斜角度を設定できるよう構成されている。
【００１９】
前記腰枕２は、人が体重をかけてもその形状を保持することができるよう、比較的硬質で、且つ弾力性のある素材で、該腰枕２のベースとなる基盤４を形成する。前記硬質で、且つ弾力性のある素材として、合成樹脂材を用いることができるが、好ましくは、硬質ウレタンやシリコンを用いて基盤４を形成することが推奨される。
【００２０】
そして、前記基盤４は、少なくとも５番腰椎から双丘臀部までの奥行と、該双丘臀部を支える巾を備えて形成されると共に、該基盤４の傾斜面１の上面に、人体への接触感を良くするため、低反発ウレタン、軟質ウレタン、ウレタンジェル、シリコン、柔軟性合成ゴム等より成る２〜１０ｍｍ程度の厚みを有する柔軟性シート５を接着固定すると共に、該基盤４の底面の両側端部に、腰枕２を前記取付ベルト３に取付けるとき、前後に位置をずらして骨盤の傾斜角度と同じ８度〜１５度になるよう調整した後、取付ベルト３にずれることなく取付けるための、後述する面ファスナー雌片８に接合固定する面ファスナー雄片６を固定して腰枕２が形成される。
【００２１】
前記基盤４の全周面に、または少なくとも傾斜面１の上面のみに、２〜１０ｍｍ程度の厚みを有する柔軟性シート５を接着固定することにより（図１においては、全周面に柔軟性シート５が接着固定されている）前記腰枕２に骨盤部を載せて体重をかけた場合、理想的な状態で体圧が分散されると共に、すべり防止、安定性および快適性を備えた腰枕２が得られる。
【００２２】
前記構成より成る腰枕２を取付ける取付ベルト３は、就寝時に、仙腸関節を両側から挟持して締付けると共に、仰臥寝から横臥寝に寝返りしても、前記腰枕２がずれることなく、骨盤部の所定位置に位置せしめるため、骨盤部を含めた下腹部全周に亘って巻回装着するものである。
【００２３】
前記取付ベルト３は、前記腰枕２を取付けて、骨盤部を含めた下腹部全周に亘って巻回装着できるものであれば、その形状は如何なるものでもよいが、好ましくは、図２に示すような形状の取付ベルト３を使用することが推奨される。
【００２４】
すなわち、取付ベルト３は、仙腸関節を両側から挟持して締付けて固定するように、伸縮性および締付け作用を有する、例えば、天然ゴム、合成ゴム、伸縮性繊維により形成された帯状の基布７の中央に、前記腰枕２の各面ファスナー雄片６に取外し自在に接合固定する面ファスナー雌片８がそれぞれ固定されている。なお、前記面ファスナー６を雌片で形成することもできるが、この場合、当然これに接着する面ファスナー８は雄片で形成されることになる。
【００２５】
前記取付ベルト３の基布６の両側には、該取付ベルト３を骨盤部を含めた下腹部全周に亘って巻回装着するための面ファスナー雄片９と、該面ファスナー雄片９に接合固定する面ファスナー雌片１０が固定されて形成されている。なお、前記面ファスナー９を雌片で形成することもできるが、この場合、当然これに接着する面ファスナー１０は雄片で形成されることになる。また、図示していないが、取付ベルト３の基布６の一方側をパイル生地とすると共に、該基布６の他方側に、該パイル生地に接合固定する面ファスナー雄片を設けてもよい。
【００２６】
前記構成より成る本発明腰痛緩和腰枕装置の作用について説明する。先ず、使用者が腰枕２上に骨盤部を載せて、使用者の個人差に合わせて、該腰枕２の取付ベルト３への取付位置を調整する必要がある。すなわち、前記腰枕２を取付ベルト３上において前後動させて、腰椎の湾曲（前湾）を少なくすることにより、神経の圧迫がなくなり、椎間板にかかる圧力が軽減されて痛みがなく、気持ちがよい感じたところまで、前後方向に移動させて調整した後、該腰枕２の面ファスナー雄片６を取付ベルト３側の面ファスナー雌片８に接合固定することにより、前記腰枕２の取付ベルト３への取付位置の調整が完了する。
【００２７】
その後、使用者は取付ベルト３の両端部を下腹部上へ巻回して、面ファスナー雄片９と面ファスナー雌片１０とを接合固定することにより、前記腰枕２を取付けた取付ベルト３は、骨盤部を含めた下腹部全周に亘って巻回装着される。
【００２８】
前記取付ベルト３の骨盤部を含めた下腹部全周への巻回装着の後、使用者は仰臥状態を続けると、４〜５番腰椎および仙骨に角度を付けて、腰椎の湾曲（前湾）を少なくすることにより、腰椎の生理的湾曲が確保され、坐骨神経痛等、神経の圧迫症状による激しい痛みを、寝ている間に軽減させて、椎間板にかかる圧力を軽減させることができる。
【００２９】
本発明腰痛緩和腰枕装置においては、腰枕２が取付ベルト３に一体に固定されるため、使用者が仰臥寝から寝返りを打って横臥寝に変わっても、前記腰枕２は取付ベルト３への取付位置がずれることなく、前記横臥寝から更に寝返りを打って仰臥寝に変わることにより、痛みの緩和効果が持続することになる。
【００３０】
なお、本発明腰痛緩和腰枕装置に、腰痛の保存療法として、取付ベルト３の素材を、例えば、銅繊維、あるいはゲルマニウム、シリカ、炭等を練りこんだ繊維等、遠赤外線放射特性を有する素材を使用したり、または、図示していないが、前記取付ベルト３にポケットを設けて、該ポケットにカイロ等の発熱体を装入して、腰部に温熱効果を与えるようにすることにより、更に痛みの緩和促進を図ることができる。
【図面の簡単な説明】
【００３１】
【図１】本発明腰痛緩和腰枕装置を構成する腰枕の縦断面図である。
【図２】同底面図である。
【図３】本発明腰痛緩和腰枕装置において、腰枕を取付ベルトに取付けた状態を示す平面図である。
【図４】本発明腰痛緩和腰枕装置を人体に巻回装着した状態を示す要部の縦断面図である。
【符号の説明】
【００３２】
１  傾斜面
２  腰枕
３  取付ベルト
４  基盤
５  柔軟性シート
６  面ファスナー雄片
７  基布
８  面ファスナー雌片
９  面ファスナー雄片
１０  面ファスナー雌片
【図１】
2010125070.tif 000003
【図２】
2010125070.tif 000004
【図３】
2010125070.tif 000005
【図４】
2010125070.tif 000006